(57)【特許請求の範囲】
【請求項１】
拡散スペクトル通信システムまたはそこで使用されている１以上のデバイスの非線形効果に対する応答特性を決定する方法において、
それぞれチャンネル化された複数の直交チャンネル信号を１組の予め選択された直交符号の１つを使用して発生し、各チャンネルは、転送されるべきデータのない予め選択された１以上のチャンネルを除いて転送されているデータを有しており、
１以上の予め定められたＰＮ拡散符号を使用して拡散された前記複数の情報信号の２以上のものと、転送されるべきデータのない少なくとも１つのものとの組合せを含む拡散スペクトル通信信号を発生し、
応答特性が決定されるべきシステムを通って拡散スペクトル通信信号を転送し、
前記転送されるべきデータのないチャンネルを含む前記拡散スペクトル通信信号によって使用されている各信号チャンネル中に存在するエネルギの量を測定し、
直交性が劣化した程度の尺度を提供するために転送されているデータを有しているチャンネルにわたって検出された平均エネルギに対する転送されるべきデータのない少なくとも１つのチャンネル中のエネルギの比を生成するステップを含んでいることを特徴とする方法。
【請求項２】
データは、ランダムに発生されたデータを含んでいる請求項１記載の方法。
【請求項３】
データは、予め選択されたテストデータサンプルを含んでいる請求項１記載の方法。
【請求項４】
転送されているデータを有しているチャンネルは、同じ総入力電力レベルまたは利得を使用する請求項１記載の方法。
【請求項５】
転送されるべきデータのない１つのチャンネルが使用される請求項１記載の方法。
【請求項６】
転送されるべきデータのない２以上のチャンネルが使用される請求項１記載の方法。
【請求項７】
直交関数はウォルシュ関数である請求項１記載の方法。
【請求項８】
さらに、衛星通信システムを通って前記拡散スペクトル通信信号を転送する請求項１記載の方法。
【請求項９】
さらに、動作期間中に衛星通信システムを通って前記拡散スペクトル通信信号を転送する請求項８記載の方法。
【請求項１０】
予め選択された周期に基づいて前記通信システムの一部分を通って前記拡散スペクトル通信信号を転送する請求項１記載の方法。
【請求項１１】
さらに、前記拡散スペクトル通信信号におけるチャンネルに対する電力比をテストするように意図されたデータとインターリーブされた、実際にシステムユーザを意図されたデータを転送する請求項１記載の方法。
【請求項１２】
拡散スペクトル通信システムにおいて使用すべき１以上のチャンネルを選択する方法において、
それぞれチャンネル化された複数の直交チャンネル信号を１組の予め選択された直交符号の１つを使用して発生し、各チャンネルは、転送されるべきデータのない予め選択された１以上のチャンネルを除いて転送されているデータを有しており、
１以上の予め定められたＰＮ拡散符号を使用して拡散された前記複数の情報信号の２以上のものと、転送されるべきデータのない少なくとも１つのものとの組合せを含む拡散スペクトル通信信号を発生し、
応答特性が決定されるべきシステムを通って拡散スペクトル通信信号を転送し、
前記転送されるべきデータのないチャンネルを含む前記拡散スペクトル通信信号によって使用されている各信号チャンネル中に存在するエネルギの量を測定し、
直交性が劣化した程度の尺度を与えるために転送されているデータを有しているチャンネルにわたって検出された平均エネルギに対する転送されるべきデータのない少なくとも１つのチャンネル中のエネルギの比を生成し、
前記比に基づいて使用すべき少なくとも１つのチャンネルを選択するステップを含んでいることを特徴とするチャンネル選択方法。
【請求項１３】
転送されているデータを有しているチャンネルにわたって検出された平均エネルギに対する転送されるべきデータのない複数のチャンネル中のエネルギの比を生成し、
前記比に基づいて使用すべき少なくとも１つのチャンネルを選択するステップを含んでいる請求項１２記載の方法。
【請求項１４】
使用すべきチャンネルのセットを選択するステップをさらに含んでいる請求項１２記載の方法。
【請求項１５】
転送されているデータを有しているチャンネルにわたって検出された平均エネルギに対する転送されるべきデータのない１または複数のチャンネルにおけるエネルギの比を生成し、
転送されるべきデータのないチャンネルのそれぞれに対して前記比を発生ステップを反復し、
前記比に基づいて使用すべき１以上のチャンネルを選択するステップをさらに含んでいる請求項１２記載の方法。
【請求項１６】
前記比に基づいて使用すべきチャンネルのセットの１以上のリストをコンパイルするステップをさらに含んでいる請求項１２記載の方法。
【請求項１７】
通信システム内において使用されているチャンネルの貧弱な（ｐｏｏｒ）状態をシステムオペレータに示すステップをさらに含んでいる請求項１２記載の方法。
【請求項１８】
拡散スペクトル通信システムまたはそこで使用されている１以上のデバイスの非線形効果に対する応答特性を決定する装置において、
それぞれチャンネル化された複数の直交チャンネル信号を１組の予め選択された直交符号の１つを使用して発生し、各チャンネルは、転送されるべきデータのない予め選択された１以上のチャンネルを除いて転送されているデータを有している直交チャンネル信号を生成する手段と、
１以上の予め定められたＰＮ拡散符号を使用して拡散された前記複数の情報信号の２以上のものと、転送されるべきデータのない少なくとも１つのものとの組合せを含む拡散スペクトル通信信号を発生する手段と、
応答特性が決定されるべきシステムを通って拡散スペクトル通信信号を転送する手段と、
前記転送されるべきデータのないチャンネルを含む前記拡散スペクトル通信信号によって使用されている各信号チャンネル中に存在するエネルギの量を測定する手段と、
直交性が劣化した程度の尺度を与えるために転送されているデータを有しているチャンネルにわたって検出された平均エネルギに対する転送されるべきデータのない少なくとも１つのチャンネル中のエネルギの比を生成する手段とを含んでいることを特徴とする装置。
【請求項１９】
前記デバイスは、衛星通信システム内に配置されている請求項１８記載の装置。
【請求項２０】
前記デバイスは、衛星上に配置されているＨＰＡを含んでいる請求項１８記載の装置。
【請求項２１】
前記デバイスは、ゲートウェイ中に配置されているＨＰＡを含んでいる請求項１８記載の装置。
【請求項２２】
データは予め選択されたテストデータサンプルを含んでいる請求項１８記載の装置。
【請求項２３】
転送されているデータを有しているチャンネルは、同じ総入力電力レベルまたは利得を使用する請求項１８記載の装置。
【請求項２４】
拡散スベクトル通信システムにおいて使用すべき１以上のチャンネルを選択するための装置において、
それぞれチャンネル化された複数の直交チャンネル信号を１組の予め選択された直交符号の１つを使用して発生し、各チャンネルは、転送されるべきデータのない予め選択された１以上のチャンネルを除いて転送されているデータを有している直交チャンネル信号を発生する手段と、
１以上の予め定められたＰＮ拡散符号を使用して拡散された前記複数の情報信号の２以上のものと転送されるべきデータのない少なくとも１つのものとの組合せを含む拡散スペクトル通信信号を発生する手段と、
応答特性が決定されるべきシステムを通って拡散スペクトル通信信号を転送する手段と、
前記転送されるべきデータのないチャンネルを含む前記拡散スペクトル通信信号によって使用されている各信号チャンネル中に存在するエネルギの量を測定する手段と、
直交性が劣化した程度の尺度を与えるために転送されているデータを有しているチャンネルにわたって検出された平均エネルギに対する転送されるべきデータのない少なくとも１つのチャンネル中のエネルギの比を生成する手段と、
前記比に基づいて使用すべき少なくとも１つのチャンネルを選択する手段とを含んでいることを特徴とする装置。
【発明の詳細な説明】
【０００１】
【発明の属する技術分野】
本発明は、非線形デバイスに関し、とくに、通信システムにおける信号の転送に対する非線形デバイス特性の影響を決定する方法に関する。本発明は、さらに、直交ＣＤＭＡ通信システムにおいて活動的なシステムチャンネル対非活動的なシステムチャンネルの電力比を使用し、とくに、電力増幅器のような非線形段の動作を制御するためにウォルシュ電力比を使用する方法に関する。
【０００２】
【従来の技術】
多数のシステムユーザのあいだで情報を転送するために使用される多重アクセス通信システムの１つのタイプは、符号分割多重アクセス（ＣＤＭＡ）拡散スペクトル技術に基づいている。このような通信システムは、共に本出願人に権利が譲渡され、ここにおいて参考文献とされている米国特許第 4,901,307 号明細書（“Spread Spectrum Multiple Access Communication System Using Satellite Or Terrestrial Repeaters”,1990年 2月13日出願）および米国特許第 5,691,974 号明細書（“Method And Apparatus For Using Full Spectrum Transmitted Power In A Spread Spectrum Communication System For Tracking Individual 受信側 Phase Time And Energy”,1997年11月25日出願）に記載されている。
【０００３】
これらの特許明細書には、一般に移動または遠隔システムユーザまたは加入者が接続された公衆電話交換網等によって別のシステムユーザまたは所望の受信者と通信するためにトランシーバを使用する通信システムが記載されている。トランシーバは、ＣＤＭＡ拡散スペクトル通信信号を使用してゲートウェイおよび衛星または地上基地局（セルサイトまたはセルとも呼ばれる）によって信号を伝達する。
【０００４】
一般的な拡散スペクトル通信システムにおいて、通信信号として送信される搬送波を変調する前に予め定められたスペクトル帯域にわたってユーザ情報信号を変調または“拡散”するために、予め選択された擬似ランダム雑音（ＰＮ）符号シーケンスの１以上のセットまたは対が使用される。ＰＮ拡散とは、技術的によく知られている拡散スペクトル伝送方法であり、基礎をなすデータ信号の帯域幅よりはるかに広い帯域幅を有する通信信号を生成する。順方向リンクとも呼ばれる基地局・ユーザ通信リンクまたはゲートウェイ・ユーザ通信リンクにおいて、異なった基地局によって送信された信号を区別し、あるいは異なったビーム、衛星、またはゲートウェイの信号、ならびにマルチパス信号を区別するために、ＰＮ拡散符号または２進シーケンスが使用される。逆方向リンクとも呼ばれるユーザ端末から基地局またはゲートウェイへの通信リンクでは、異なったビーム、衛星、またはゲートウェイを意図された信号、ならびにマルチパス信号を区別するために、ＰＮ拡散符号または２進シーケンスが使用される。
【０００５】
これらの符号は、典型的に、所定のセルまたはビーム内の全ての通信信号によって共用され、隣接するビームまたはセル間において時間シフトまたはオフセットされ、異なった拡散符号を生成する。時間オフセットにより、ビーム間ハンドオフおよび基本的な通信システムタイミングに関する信号タイミングの決定に利用できる特有のビーム識別子が生成される。
【０００６】
典型的なＣＤＭＡ拡散スペクトル通信システムにおいて、セル内の異なったユーザに送ることを意図された信号、あるいは衛星ビームまたはサブビーム内において順方向リンクで送信されたユーザ信号を区別するためにチャンネル化（channelizing）符号が使用される。すなわち、各ユーザトランシーバは、特有の“カバーリング”または“チャンネル化”直交符号を使用することによって順方向リンク上に与えられたそれ自身の直交チャンネルを有する。一般に、チャンネル化符号を構成するためにウォルシュ関数が使用され、代表的な長さは地上システムに対して６４コードチップ程度であり、また、衛星システムに対して１２８コードチップ程度である。この構成において、６４または１２８チップの各ウォルシュ関数を、一般にウォルシュシンボルと呼ぶ。ウォルシュ符号の導出は、本出願人に権利が譲渡され、ここにおいて参考文献とされている米国特許第 5,103,459号明細書（“System And Method For Generating Signal Waveforms In A CDMA Cellular Telephone System”）に詳細に記載されている。
【０００７】
上述のシステムにおいて使用されるゲートウェイまたは基地局、ならびに衛星は、高電力増幅器（ＨＰＡ）を使用して、通信システム中の、あるいはこれによってサービスされる衛星、ゲートウェイおよびユーザ端末のあいだで転送される信号の電力を増加させる。信号の電力は著しく増加され、かつ同時にできる限り無駄に消費される電力が少ないことが望ましい。すなわち、信号を増幅し、所望の通信リンクを得るのに必要な量の電力しか消費しないことが望ましい。これは、増幅器への給電に必要とされる電力およびしたがってエネルギリソースを節約し、信号の相互干渉を減少させ、システム容量を増加させるために信号電力を最小にすることと関連している。
【０００８】
衛星通信システムでは、信号送信に利用できる電力量は、衛星の電力発生容量によって制限されることを認識することも重要である。この電力の使用を最適化するために、ユーザとのあいだで情報を転送することを意図されたトラフィック信号と、位相および時間基準として動作することを意図されたパイロット信号との間において、電力を注意深く割当てなければならない。パイロット信号に割当てられる電力が少なすぎる場合、ユーザは彼らの受信機をゲートウェイまたは基地局と同期させるのに十分なエネルギを蓄積することができない。反対に、パイロット信号の電力が多すぎる場合、トラフィック信号に利用できる電力量、およびしたがってサポートされることのできるユーザの数が減少する。
【０００９】
したがって、衛星によって処理されることのできるユーザ容量を最大にするために、送信されるパイロット信号の電力量は正確に制御されなければならない。さらに、システム情報を転送するために使用されるページングおよび同期信号のような別の共用リソースが存在し、これらはパイロット信号に類似した共用リソースとして動作する。このような信号もまた、衛星またはその他の電力制限または電力制御された通信システムにおける電力消費に影響を与える。システム容量を増加させるために、これらの信号中に存在するエネルギ量を最小にして相互干渉を減少させることも望ましい。
【００１０】
上述のような高い相互変調レベルで動作する通信システムにおける電力増幅器は、一般にそれらの飽和点付近で動作する。飽和点とは、増幅器の出力電力が入力電力の増加にしたがってもはや増加しない点である。すなわち、飽和点に達した後、電力増幅器の出力電力は、入力と無関係に実質的に一定である。したがって、電力増幅器はその飽和点の近くで動作の非線形性を示す。飽和領域はまた利得圧縮領域とも呼ばれる。
【発明が解決しようとする課題】
相互変調とは、非線形性を説明するために使用されている用語である。たとえば、非線形デバイスが多数のスペクトル成分を有する信号で動作し、出力信号を生成した場合、この出力信号は、元の入力信号中には存在しなかったスペクトル成分から構成される。成分のうちのあるものは、濾波によって除去可能であり、著しい歪みは生じない。しかしながら、その他の成分には、濾波によって除去されることができないものもある。濾波によって除去不可能な成分は、非線形性の歪みを生じさせる。一般に、これらの成分を相互変調積と呼ぶ。
【００１１】
この相互変調が、ほとんどの通信システムにおいて望ましくない歪みを生じさせる。たとえば、ＣＤＭＡ通信システムにおいて、ＣＤＭＡ信号は、通信チャンネルによって送信される前に増幅される。一般に、この増幅を行うために非線形電力増幅器が使用される。実際の通信システムにおいて送信されるＣＤＭＡ信号は非定常的なエンベロープをしばしば示し、これによって、複数のＣＤＭＡ信号が多重化されて単一の多重化されたＣＤＭＡ信号を形成した結果発生した可能性が高い。このような信号は、いくつかのＣＤＭＡ信号が単一の搬送波に結合されてＣＤＭＡチャンネルを形成した結果、あるいは異なった周波数のいくつかのＣＤＭＡチャンネルが送信のために単一のものに結合された結果発生する可能性がある。いずれの場合も、多重化されたＣＤＭＡ信号は、一定でないエンベロープを示す。別のよく知られている原因もまた、一定でないエンベロープ現象を発生させる可能性が高い。結果的に、非線形増幅器への入力電力は、増幅器の入力電力範囲を横断する。非線形増幅器はその入力範囲にわたって非線形であるため、出力信号は、相互変調積のような望ましくない非線形効果を示す。
【００１２】
相互変調によって発生されるような非線形歪みは、通信システムにおける信号の情報内容を破壊する可能性の高い望ましくない効果である。残念ながら、非線形歪みはＩＳ−９５標準方式に従ったＣＤＭＡ通信信号波形にも影響を与える可能性が高く、その結果チャンネルはもはや直交していない。本質において、非線形応答特性のために、符号化されたチャンネルは互いに“漏洩”または“ブリード”させられる。
【００１３】
伝統的に、通信信号を発生および増幅するために使用される電力増幅器およびその他の非線形素子の性能は、ツートーン、マルチトーンおよび雑音装荷テストで定量化される。とくに、雑音装荷テストは雑音電力比すなわちＮＰＲテストと呼ばれ、どれだけのエネルギ密度が狭いノッチ中に漏洩したか、あるいはどれだけの雑音がテストされている非線形デバイス中に注入されたかを測定する。
【００１４】
しかしながら、雑音の相互変調特性と直接シーケンス拡散スペクトル信号（ＤＳ−ＳＳ）との間にはいくつかの重要な相違がある。とくに、拡散スペクトルデータ変調が１次元の、たとえばＢＰＳＫタイプと呼ばれるものであるとき、ＤＳ−ＳＳ波形の統計的エンベロープは雑音とは異なっている。ＣＤＭＡ通信システムにおいて認められるように、多数の情報信号が多重化された（ＣＤＭまたはＣＤＭＡのために）場合でも、これらの信号が同じ搬送波周波数および同じ搬送波位相を共用するならば、ＤＳ−ＳＳ波形はバンドパス雑音とは著しく異なった統計的エンペロープを有する。
【００１５】
バンドパス雑音は、自由度２を有するカイ二乗である電力確率密度関数（ＰＤＦ）を有している。多数のユーザまたはユーザ信号（トラフィックチャンネル）を有する順方向リンクＣＤＭＡチャンネルまたは信号は、自由度１を有するカイ二乗の近似的電力ＰＤＦを有している。ＩＳ−９５標準方式に従った順方向リンクＣＤＭＡタイプの信号はこの特殊なケースであり、ＣＤＭまたはＣＤＭＡ信号がウォルシュ符号との直交関係を維持される。このコーディング形態は、直交ＣＤＭＡ、あるいは単にＣＤＭＡと呼ばれるが、しかし、これは依然としてＢＰＳＫ変調である。ＩＳ−９５方式の波形上の著しい量の相互変調は、チャンネルがもはや直交しておらず、それらが互いに“漏洩”または“ブリード”することを意味する。
【００１６】
この漏洩の結果、チャンネルに関する簡単な雑音測定は、ＣＤＭＡ環境における通信システムの性能の真の応答特性または尺度を反映しない。これは、単に雑音電力比（ＮＰＲ）テストを使用して、拡散スペクトルシステム中の特定の増幅段により使用すべき電力調節の効果または適切な電力レベルを測定または決定できないことを意味する。これは、システム中の雑音がそうでなければ直交するはずの別のチャンネル中にエネルギをシフトする傾向があるために生じる。
【００１７】
雑音特性がＣＤＭＡ性能を必ずしも反映しない別の問題は、ＡＭ／ＡＭおよびＡＭ／ＰＭ効果と呼ばれる分離における問題である。これら両者は、ＮＰＲのような伝統的な雑音測定技術に影響を与えることがよく知られている。しかしながら、コヒーレントなＢＰＳＫ復調は、ＡＭ／ＰＭよりＡＭ／ＡＭに対してはるかに鋭敏である。これを説明するために、通常の非線形電力増幅器の出力電力および位相特性が図１に示されている。図１において、曲線102 は出力の位相対入力正弦波の位相を示す。このような曲線は一般に“ＡＭ−ＰＭ”パイロットと呼ばれている。曲線104 は、正弦波入力に対する出力電力対入力電力の大きさを示す。このような曲線は一般に“ＡＭ−ＡＭ”パイロットと呼ばれている。曲線102 は、出力電力の位相対入力電力が通常の非線形電力増幅器のほとんどの動作領域にわたって一定ではないことを示している。同様に、曲線104 は、電力出力の大きさが飽和領域106 の近くで非線形であることを示す。図１に示されている電力増幅器の場合、飽和領域106 は約−４ｄＢｍから始まる。当業者は、飽和領域が異なった値の範囲にわたって延在していることを認識するであろう。
【００１８】
電力増幅器のような通信システム素子を特徴付ける応答特性あるいはその他の特性の単なるテスト以外の別の問題は、動作中における電力レベルの選択である。この状況において、システムが配備されてから、あるいは使用中に、少なくとも時々その動作を特徴付け、非線形デバイスの動作を調節するために使用されることのできるさらに正確な性能の尺度があると都合がよい。
【００１９】
したがって、上述および別の技術の観点において、本発明の１つの目的は、拡散スペクトル通信システムにおける信号処理に対する非線形デバイスの影響をさらに正確に特徴付けるための新しい技術を提供することである。たとえば、この新しい技術によって、電力増幅器の電力レベル対直交性の低下の影響または相関が正しく決定されることができる。
【課題を解決するための手段】
これらおよびその他の目的および利点は、拡散スペクトル通信システムまたは通信システム全体を製造するために使用される電力増幅器またはその他の素子のようなデバイスの応答特性をテストまたは特徴付ける新しい方法において実現される。この新しい方法は、予め選択された一連の、または一組の直交符号を使用して適切にチャンネル化された信号をテストされているデバイスまたはシステムの入力に転送する。すなわち、個々の直交符号によってカバーまたはチャンネル化された情報またはデータ信号をそれぞれ表す一連の分離された“トラフィック”チャンネル信号を有する入力通信信号が発生される。１実施形態において、ウォルシュ関数が直交符号として使用されることが好ましい。
【００２０】
各チャンネルは、１以上の予め選択されたチャンネルを除いて、転送されるべきあるタイプのデータまたは情報を有している。空チャンネルの数は、測定されるべき直交性の程度に基づいている。データは、種々の既知のテスト信号またはサンプルからランダムに発生または選択されることができる。活動的なチャンネルは同じ総入力電力レベルまたは利得を使用し、データ速度および一般内容は適度に類似していることが好ましい。結果的に得られるチャンネル信号は結合または多重化されてＣＤＭＡ通信信号となり、このＣＤＭＡ通信信号がテストされるべきデバイスまたはシステムを通って転送され、そのエネルギがチャンネルに基づいて測定される。本発明の１つの特徴において、これは、どのデータシンボルが送信されたかを相関素子またはデバイスを使用して決定し、エネルギが累積される空チャンネルを除いて、受信された各シンボルのエネルギの和を累算器およびスクエアリング素子を使用して測定することによって行われる。測定された値は、チャンネル当たりの電力量および信号全体における電力量を決定するために使用される。
【００２１】
“空でない”または活動的なチャンネルの全てにわたって検出されたエネルギの和と、所望の“空”のまたは非活動的なチャンネルとの間に比が形成される。さらに正確には、空のチャンネルのエネルギと空でないチャンネルの平均エネルギとから比が形成されて、使用されているチャンネルの数がさらに適切に示される。この比から、何パーセントのエネルギが空チャンネル中にシフトされているか、出力の符号純度に対する利得の近似的な影響、およびテストされているデバイスの非線形応答特性のために直交性が劣化した程度の尺度が分かる。使用されたチャンネルの数によってエネルギの和を除算してエネルギ密度を生成し、その後このエネルギ密度が所望の比を形成するために使用される。
【００２２】
本発明の方法は、ＣＤＭＡ信号環境における非線形デバイスの性能をテストするために送信セクションと受信セクションとを含む専用テスト装置として構成された装置を使用して実現されることができる。テストされるべき電力増幅器または類似のデバイスは、それが正常に動作する別の回路に一般的な方式で接続される。
【００２３】
別の実施形態において、データの多数のチャンネルを有する基地局またはゲートウェイ内の送信セクション、回路、または素子に、テストＣＤＭＡ通信信号が注入または供給される。すなわち、直交符号を使用することによって生成された多数の別個のチャンネルによる転送を意図されたデータと、データのない（空の）１以上のチャンネルとが注入または供給される。少なくとも１つの受信機がこの通信信号を受信して復調し、各チャンネル中の電力を評価する。その後、これらの電力測定値は、空チャンネル中のエネルギ密度対全てのまたは活動的なチャンネル中のエネルギ密度のウォルシュ電力比（ＷＰＲ）を形成するために使用される。
【００２４】
本発明の別の特徴において、この技術は、動作されているときの通信システム自身の一部分をテストするために使用されることができる。すなわち、保守期間中または使用されていない期間中に、システムの現在の応答特性を測定し、特徴付けるために、適切なテスト信号が転送されることができる。その代わりに、固定したパターン（およびブランク）信号がシステムを通って送られ、周期的なインターバルで、またはその他の所望の時期にシステムをテストするために典型的なトラフィックチャンネル信号とインターリーブされることができる。これによって、システム応答特性に関する情報を実時間で獲得し、衛星上の電力増幅器またはその他のデバイスの動作を調節して改善されたシステム動作および容量を提供することが可能になる。
【発明の実施の形態】
本発明の特徴、目的および利点は、以下に記載する詳細な説明および添付図面からさらに明らかになるであろう。なお、図面において同じ参照符号は同じ素子を示している。
Ｉ．序論
本発明は、拡散スペクトル通信システムにおいて使用される非線形信号処理素子の動作特性をさらに正確に決定するための方法および装置である。とくに、本発明は、システムまたはコンポーネント性能に対する非線形効果の影響をさらに正確に特徴付けて、直交ＣＤＭＡ通信システムにおける高電力増幅器のような非線形段の動作に対する改善された制御を可能にするためにウォルシュ電力比を使用する。
【００２５】
本発明は、ＣＤＭＡ衛星通信システムにおいて使用される高電力増幅器による使用にとくに適している。しかしながら、当業者が認識するように、本発明は、非線形特性で動作するデバイスまたはコンポーネントが使用されるその他のタイプの通信システムにも適用可能である。本発明の実施形態を説明する前に、本発明が使用できる代表的な環境を説明する。
【００２６】
以下、本発明の好ましい実施形態を詳細に説明する。特定のステップ、構成および装置が説明されているが、これは単なる一例にすぎないことを理解すべきである。当業者は、本発明の技術的範囲を逸脱することなくその他のステップ、構成および装置を使用可能なことを認識するであろう。本発明は、種々の無線情報および通信システムにおいて使用されることが可能である。
II．例示的な動作環境
図２において、本発明が利用可能であると認められている無線電話システムのような例示的な無線通信システムが示されている。図２に示されている通信システムは、通信システム遠隔または移動端末とシステムゲートウェイまたは基地局との間において通信する時に、直交コーディングにより符号分割多重アクセス（ＣＤＭＡ）拡散スペクトル型の通信信号を使用する。図２に示されている通信システムの一部分には、２個の移動局またはユーザ端末220 および222 との通信を行うための１個の基地局212 、２個の衛星214 および216 、ならびに２個の関連したゲートウェイまたはハブ224 および226 が示されている。一般に、基地局および衛星／ゲートウェイは、地上ベースおよび衛星ベースと呼ばれる別個の通信システムのコンポーネントである。もっとも、これは必須ではない。このようなシステムにおける基地局、ゲートウェイおよび衛星の総数は、所望のシステム容量および技術的によく理解されているその他の要因に依存する。ゲートウェイ224 および226 ならびに基地局212 は、単方向または双方向通信システムの一部分として使用されてもよいし、あるいは単にメッセージまたはデータをユーザ端末220 および222 に転送するために使用されてもよい。
【００２７】
移動局またはユーザ端末220 および222 はそれぞれ、限定的ではないが、セルラー電話機、データトランシーバまたは転送デバイス（たとえば、コンピュータ、パーソナルデータアシスタント、ファクシミリ）、もしくはページングまたは位置決定受信機のような無線通信デバイスを有し、あるいはそれらから構成されている。一般に、このようなユニットは、所望に応じて、手に把持されるか、あるいは車両に設置されるが、遠隔無線サービスが所望された場合、固定されたユニットまたはその他のタイプの端末もまた使用されることができる。この遠隔無線サービスは、とくに、世界の多数の遠隔地エリアに通信リンクを設定するために衛星中継器を使用するのに適している。
【００２８】
この例として、全体的に重複しない別個の地理的領域をカバーするように導かれる多数のビームを衛星214 および216 が放射する状況を検討する。一般に、異なった周波数の多数のビームが同じ領域をオーバーラップして覆うように導かれることが可能であり、これらのビームはＣＤＭＡチャンネルまたは“サブビーム”あるいはＦＤＭＡ信号とも呼ばれている。しかしながら、通信システム設計、提供されるサービスのタイプ、および行われるべき空間ダイバーシティに応じて、異なった衛星または基地局に対するビームカバレージまたはサービスエリアが所定の領域において完全にまたは部分的に重なり合ってもよいことが容易に理解される。たとえば、各々は、異なったセットのユーザに対して異なった特徴により異なった周波数でサービスを提供してもよいし、あるいは所定の移動ユニットが、それぞれ地球物理学的カバレージを部分的に覆う状態で、多数の周波数および多数のサービスプロバイダの少なくとも一方を使用してもよい。
【００２９】
図２には、ユーザ端末220 および222 と基地局212 との間に、あるいは衛星214 および216 を介して１以上のゲートウェイまたは集中型ハブ224 および226 に設定される通信に対していくつかの可能な信号路が示されている。基地局212 とユーザ端末220 および222 との間の通信リンクの基地局−ユーザ部分は、ライン230 および232 によってそれぞれ示されている。衛星214 によるゲートウェイ224 および226 とユーザ端末220 および222 との間の通信リンクの衛星−ユーザ部分は、ライン234 および236 によってそれぞれ示されている。衛星216 によるゲートウェイ224 および226 とユーザ端末220 および222 との間の通信リンクの衛星−ユーザ部分は、ライン238 および240 によってそれぞれ示されている。これらの通信リンクのゲートウェイ−衛星部分は、一連のライン242 ，244 ，246 および248 によってそれぞれ示されている。これらのラインの矢印は、順方向または逆方向リンクのいずれかである各通信リンクに対する例示的な信号方向を示し、簡明にするために示されているに過ぎず、実際の信号パターンまたは物理的制限を示すものではない。
【００３０】
通信システムは、一般に異なった軌道平面を移動している多数の衛星214 および216 を使用しており、多数のユーザ端末にサービスするために種々の低軌道（ＬＥＯ）およびその他の多衛星通信システムが提案されている。当業者は、本発明の教示がどのようにして種々の衛星および地上通信システムに適用できるかを容易に理解するであろう。
【００３１】
基地局およびゲートウェイという用語は、時に技術的に交換可能に使用され、ゲートウェイは衛星を介して通信を導く特別な（specialized）基地局として認識され、一方基地局は取囲んでいる地理的領域内において通信を導くために地上アンテナを使用する。ユーザ端末はまた、いくつかの通信システムにおいて、好みに応じてしばしば加入者ユニット、移動ユニット、移動局、あるいは単に“ユーザ”、“移動体”または“加入者”と呼ばれる。
【００３２】
上述のように、各基地局またはゲートウェイは“パイロット”信号をカバレージの領域にわたって送信する。衛星システムについては、この信号は、各衛星“ビーム”内において転送され、衛星によってサービスされているゲートウェイから発生する。一般に、パイロット信号は、各衛星−ユーザビーム周波数に対する各ゲートウェイまたは基地局によって送信される。このパイロット信号は、そのビームにより信号を受信する全てのユーザによって共用される。この技術によって、多数のトラフィックチャンネルまたはユーザ信号搬送波が、搬送波位相基準として共通のパイロット信号を共用することが可能になる。
【００３３】
パイロット信号は、同じＰＮ拡散符号対または符号セットを、各ビーム、セルまたはセクターに対して異なった相対符号タイミングオフセットにより通信システムにわたって使用する。その代わりに、いくつかの基地の間において、異なったＰＮ拡散符号（多項式生成器）が使用される。衛星通信システムにおいて、異なったＰＮ符号セットが各軌道平面内での使用のために割当てられることができる。これによって信号の分離が行われ、あるいは干渉が減少され、ビームが容易に互いに区別されることが可能になる。各通信システム設計により、技術的に理解されている要因に基づいて、システム内のＰＮ拡散符号およびタイミングオフセットの分布（distribution）が特定される。
【００３４】
図３には、ＣＤＭＡ通信システムを構成するために使用される基地局またはゲートウェイ装置の送信セクションまたは部分の例示的な設計が示されている。典型的なゲートウェイにおいて、多数のユーザ端末に一時にサービスを行い、また、いくつかの衛星およびビームにいつでもサービスするために、いくつかのこのような送信セクションまたはシステムが使用される。ゲートウェイによって使用される送信セクションの数は、システムの複雑さ、見えている衛星の個数、加入者容量、選択されるダイバーシティの程度等を含む技術的によく知られているファクタによって決定される。各通信システム設計はまた、信号を転送する時に使用するための送信セクションに利用可能なアンテナの個数を特定する。
【００３５】
図３には、ユーザ端末220 および222 において使用される例示的なトランシーバ300 が示されている。このトランシーバ300 は、通信信号を受信するために少なくとも１つのアンテナ310 を使用し、この通信信号はアナログ受信機314 に転送され、ここにおいて下方変換され、増幅され、デジタル化される。同じアンテナが送信および受信の両機能を行うことを可能にするために、一般にデュプレクサ素子312 が使用される。アナログ受信機314 によって出力されたデジタル通信信号は、少なくとも１つのデジタルデータ受信機316A および少なくとも１つのサーチャ受信機318 に転送される。付加的なデジタルデータ受信機316B 乃至316N は、当業者に明らかであるように、ユニットの複雑さの許容可能なレベルに応じて所望のレベルの信号ダイバーシティを得るために使用されることができる。
【００３６】
少なくとも１つの制御プロセッサ320 は、サーチャ受信機318 と共にデジタルデータ受信機316A乃至316Nに結合されている。この制御プロセッサ320 は、数ある機能の中でもとくに基本的な信号処理、タイミング、電力およびハンドオフの制御または調整を行う。制御プロセッサ320 によって行われる別の基本的制御機能は、通信信号波形を処理するために使用されるべきＰＮ符号シーケンスまたは直交関数の選択または操作である。制御プロセッサ320 の信号処理は、相対的な信号強度の決定および種々の関連した信号パラメータの計算を含むことができる。いくつかの実施形態において、信号強度の計算は、測定効率または速度を高め、あるいは制御処理リソースの割当てを改善するために受信電力素子321 のような付加的なまたは別個の回路を使用して行われてもよい。
【００３７】
デジタルデータ受信機316A乃至316Nの出力は、ユーザ端末内のデジタルベースバンド回路322 に結合される。ユーザデジタルベースバンド回路322 は、ユーザ端末とユーザとの間で情報を転送するために使用される処理およびプレゼンテーション素子を含んでいる。すなわち、一時または長期デジタルメモリのような信号またはデータ記憶素子、ディスプレイスクリーン、スピーカ、キーパッド端末およびハンドセットのような入力および出力デバイス、Ａ／Ｄ素子、ボコーダおよびその他の音声およびアナログ信号処理素子等は全て、技術的によく知られている素子を使用してユーザベースバンド回路の一部分を形成する。ダイバーシティ信号処理が使用された場合、ユーザデジタルベースバンド回路322 はダイバーシティ結合器およびデコーダを含むことができる。これらの素子のあるものはまた、制御プロセッサ320 と通信し、あるいはその制御プロセッサ320 の制御の下に動作してもよい。
【００３８】
ユーザ端末によって発生され出力メッセージまたは通信信号として音声またはその他のデータが調整された場合、ユーザデジタルベースバンド回路322 は、送信を所望されたデータを受信し、記憶し、処理し、調整等をするために使用される。ユーザデジタルベースバンド回路322 はこのデータを送信変調器326 に供給し、この送信変調器326 は制御プロセッサ320 の制御下で動作する。送信変調器326 の出力は、デジタル送信電力制御装置328 に転送され、このデジタル送信電力制御装置328 は、アンテナ310 からゲートウェイへ出力信号を最終的に送信するためにアナログ送信電力増幅器330 の出力電力の制御を行う。受信された通信信号または１以上の共用リソース信号に対して測定された信号強度に関する情報は、技術的に知られている種々の技術を使用してゲートウェイに送られることができる。たとえば、情報はデータ信号として転送されることが可能であり、あるいはユーザデジタルベースバンド回路322 によって調整された別のメッセージに付加されることができる。その代わりに、情報は、制御プロセッサ320 の制御の下で送信変調器326 または送信電力制御装置328 によって予め定められた制御ビットとして挿入されることができる。
【００３９】
アナログ受信機314 は、受信された信号中の電力またはエネルギを示す出力を供給することができる。その代わりに、アナログ受信機314 の出力をサンプリングし、技術的によく知られている処理を行うことによって、受信電力素子321 がこの値を決定することができる。この情報は、ユーザ端末の送信される信号の電力を調節するために送信電力増幅器330 または送信電力制御装置328 によって直接使用されることができる。この情報はまた、制御プロセッサ320 によって使用されることができる。
【００４０】
デジタル受信機316A乃至316Nおよびサーチャ受信機318 は、特定の信号を復調して追跡するように信号相関素子により構成される。サーチャ受信機318 は、パイロット信号を探索（サーチ）するために使用され、一方デジタル受信機316A乃至316Nは、検出されたパイロット信号に関連した別の信号（トラフィック）を復調するために使用される。したがって、これらのユニットの出力は、パイロット信号またはその他の共用リソース信号中のエネルギを決定するために監視されることができる。ここにおいて、これは受信された電力素子321 または制御プロセッサ320 のいずれかを使用して行われる。
【００４１】
図４には、ゲートウェイ224 および226 において使用される例示的な送信および受信装置400 が示されている。図４に示されたゲートウェイ224 の部分は、アンテナ410 に接続され、通信信号を受信する１以上のアナログ受信機414 を有しており、これらの通信信号は、その後下方変換され、技術的によく知られている種々の方式を使用して増幅され、デジタル化される。多数のアンテナ410 は、いくつかの通信システムにおいて使用される。アナログ受信機414 によって出力されたデジタル化された信号は、破線で囲んで全体を424 で示されている少なくとも１つのデジタル受信機モジュールへの入力として供給される。
【００４２】
各デジタル受信機モジュール424 は、あるバリエーションが技術的に知られているが、１つのユーザ端末222 とゲートウェイ224 との間の通信を管理するために使用される信号処理素子に対応している。１つのアナログ受信機414 は、多数のデジタル受信機モジュール424 に入力を供給することが可能であり、一般的に多数のこのようなモジュールは、任意の所定の時間に処理されている衛星ビームおよび可能なダイバーシティモード信号の全てに適応するためにゲートウェイ224 および226 において使用される。各デジタル受信機モジュール424 は、１以上のデジタルデータ受信機416 およびサーチャ受信機418 を有している。このサーチャ受信機418 は典型的に、パイロット信号以外の信号の適切なダイバーシティモードを探索する。多数のデジタルデータ受信機416A乃至416Nは、通信システムにおいて構成された場合、ダイバーシティ信号受信のために使用される。
【００４３】
デジタルデータ受信機416 の出力は、次に続くベースバンド処理素子422 に供給され、このベースバンド処理素子422は、技術的によく知られているので、ここでは詳細に説明されない。例示的なベースバンド装置は、マルチパス信号を各ユーザの１つの出力に結合するためにダイバーシティ結合器およびデコーダを含んでいる。例示的なベースバンド装置はまた、出力データを一般にデジタルスイッチまたはネットワークに供給するインターフェース回路を含んでいる。ボコーダ、データモデムおよびデジタルデータ切替および記憶コンポーネントのような他の種々の既知の素子がベースバンド処理回路422 の一部分を形成することができるが、素子は上記のものに限定されない。これらの素子は、１以上の送信モジュール434 へのデータ信号の転送を制御または命令するように動作する。
【００４４】
ユーザ端末に送信されるべき各信号は、１以上の適切な送信モジュール434 に接続される。一般的なゲートウェイはいくつかのこのような送信モジュール434 を使用して、多数のユーザ端末222 、ならびにいくつかの衛星およびビームに一時にサービスを提供する。ゲートウェイ224 によって使用される送信モジュール434 の数は、システムの複雑さ、見えている衛星の数、ユーザ容量、選択されたダイバーシティの程度等を含む技術的によく知られているファクタによって決定される。
【００４５】
各送信モジュール434 は、送信するためにデータを拡散スペクトル変調する送信変調器426 を含んでいる。この送信変調器426 は、デジタル送信電力制御装置428 に結合された出力を有し、このデジタル送信電力制御装置428 は、出て行くデジタル信号に対して使用される送信電力を制御する。デジタル送信電力制御装置428 は、干渉の減少およびリソース割当てのために最小レベルの電力を供給するが、送信路またはその他の通路転送特性における減衰を補償する必要がある場合には適切なレベルの電力を供給する。ＰＮ発生器は432 は、信号を拡散する時に送信変調器426 によって使用される。この符号発生はまた、ゲートウェイ224 または226 において使用される１以上の制御プロセッサまたは記憶素子の機能部分を形成することができる。
【００４６】
送信電力制御装置428 の出力は、それが他の送信電力制御回路からの出力と合計される合計装置436 に転送される。これらの出力は、送信電力制御装置428 の出力と同じ周波数で同じビーム内において別のユーザ端末220 および222 に送信するための信号である。合計装置436 の出力はアナログ送信機438 に供給され、デジタルアナログ変換され、適切なＲＦ搬送波周波数に変換され、さらに増幅され、ユーザ端末220 および222 に放射するために１以上のアンテナ440 に出力される。アンテナ410 および440 は、システムの複雑さおよび構成に応じて同一のアンテナであってもよい。
【００４７】
１以上のゲートウェイ制御プロセッサ420 は、受信機モジュール424 、送信機モジュール434 およびベースバンド回路422 結合される。これらのユニットは、互いに物理的に分離されていてもよい。制御プロセッサは、指令および制御信号を供給し、信号処理、タイミング信号発生、電力制御、ハンドオフ制御、ダイバーシティ組合せ、およびシステムインターフェースのような機能を行うが、これらに限定されない。さらに、制御プロセッサは、ユーザ通信に使用するためにＰＮ拡散符号、直交符号シーケンス、ならびに特定の送信機および受信機を割当てる。
【００４８】
制御プロセッサ420 はまた、パイロット、同期およびページングチャンネル信号の発生および電力を制御し、また、それらの送信電力制御装置428 への結合を制御する。パイロットチャンネルはデータによって変調されない信号に過ぎず、送信変調器426 に対して一定の値またはトーンタイプの入力を使用して、ＰＮ発生器432 から供給されたＰＮ拡散符号だけを効率的に送信してもよい。
【００４９】
制御420 は送信モジュール424 または受信モジュール434 のようなモジュールの素子に直接結合されることができるが、各モジュールは一般に、そのモジュールの素子を制御する送信プロセッサ430 または受信プロセッサ421 のようなモジュール特定プロセッサを含んでいる。したがって、好ましい実施形態において、制御プロセッサ420 は、図４に示されているように送信プロセッサ430 および受信プロセッサ421 に結合される。このようにして、単一の制御プロセッサ420 は、非常に多数のモジュールおよびリソースの動作を効率的に制御する。送信プロセッサ430 は、パイロット、同期、ページング信号、およびトラフィックチャンネル信号の発生および信号電力の制御と、電力制御装置428 に対するそれらの各結合の制御を行う。受信プロセッサ421 は、サーチング、復調用のＰＮ拡散符号、および受信された電力の監視を制御する。
【００５０】
上述のように、受信された電力素子は、デジタルデータ受信機の出力中のエネルギを監視することによって信号中の電力を検出するために使用されることができる。この電力情報は、出力電力を調節して、通路減衰の著しい変化を補償するために送信電力制御装置に供給される。したがって、これらの素子は、電力制御フィードバックループの一部分を形成する。この電力情報はまた、所望されたときに受信プロセッサまたは制御プロセッサに供給されることができる。電力制御機能の一部分はまた、受信プロセッサ内に含ませることができる。
【００５１】
共用リソース電力制御に関しては、ゲートウェイは受信された信号強度または信号対雑音比に関する情報をユーザ端末から通信信号で受信する。この情報は、受信プロセッサによってデータ受信機の復調された出力から得られることが可能であり、あるいはその代わりに、この情報は、制御プロセッサによって監視されている、あるいは受信プロセッサによって監視され制御プロセッサに転送される信号の中の予め定められた位置で発生したときに検出可能である。制御プロセッサは、共用リソース信号のために使用される電力の量を送信電力制御装置を使用して制御するためにこの情報を使用する。
III．電力制限および制御
衛星通信システムにおける基本的な制約の1つは、衛星上で信号送信のために利用できる電力の量が厳しく制限されることである。このために、各トラフィック信号の信号強度は、消費される衛星電力を最小にし、その一方で許容可能なトラフィック信号品質を依然として維持するように個々に制御される。しかし、パイロット信号のような共用リソース信号の信号強度を制御する場合には、リソースを共用しているユーザの全てを集合的に考えなければならない。
【００５２】
衛星中継システムについて、パイロット信号は、各衛星ビーム周波数内において転送され、通信リンクとして使用される衛星または衛星ビームにしたがってゲートウェイから発生する。しかしながら、パイロット信号はまた、当業者に認識されるように、種々の衛星、ゲートウェイまたは基地局を使用して、ビームおよびサブビームの種々の組合せによって共用リソースとして送信されることができる。本発明の教示は、通信システムにおける特定のパイロット送信方式に限定されるものではなく、また、使用される共用リソースのタイプによって限定されるものでもない。
【００５３】
一般に、通信システム内の各パイロット信号は、異なった符号タイミングオフセットを有する同じＰＮ符号を使用して発生される。その代りに、各パイロット信号は、異なったＰＮ符号を使用して発生されてもよい。これによって、互いを容易に区別されることのできる信号が供給され、一方において簡単化された捕捉および追跡が行われる。その他の信号は、ゲートウェイ識別、システムタイミング、加入者ページング情報のような拡散スペクトル変調された情報、ならびにその他の種々の制御信号を送信するために使用される。
【００５４】
上述のように、信号送信に利用できる電力の量は、衛星通信システムにおいて衛星の電力発生容量によって制限される。この電力の使用を最適化するために、それはトラフィック信号とパイロット信号との間で慎重に割当てられなければならない。パイロット信号に割当てられた電力が少なすぎる場合、ユーザ端末は、それらの受信機をゲートウェイと同期させるために十分なエネルギを蓄積することができない。逆に、パイロット信号に割当てられた電力が多すぎる場合、トラフィック信号に対して利用できる電力の量、およびしたがってサポートされることのできるユーザの数が減少する。したがって、衛星における加入者容量を最大にするために、送信されるパイロット信号の電力の量は正確に制御されなければならない。
【００５５】
この問題を解決するための1つの方法は、開ループパイロット信号電力制御である。この方法において、ゲートウェイは、順方向リンクにおける通路利得、すなわちゲートウェイにおける変調器から衛星トランスポンダを介してユーザ端末までの通路利得の開ループ評価を行う。ゲートウェイはこの評価を使用してゲートウェイにより送信されたパイロット信号電力を制御し、したがって衛星トランスポンダにより送信されるパイロット信号電力を制御する。この方法に関する重大な問題は、この開ループ評価が、衛星トランスポンダ電子装置利得における不確かさ、衛星トランスポンダの高電力増幅器の利得圧縮、アンテナ利得、および雨滴による減衰のような大気効果による通路損失を含む通路利得の不確かさによるエラーを含んでいることである。これらの利得の不確かさによるエラーは、かなり多量なものになる可能性が高い。
ＩＶ．信号処理
図5には、送信機モジュール426 を構成する例示的な信号変調器設計がさらに詳細に示されている。変調器426 は畳み込み符号化等による符号化を反復して行い、エラー検出および補正機能を行うためにデータシンボルをインターリーブする１以上のエンコーダおよびインターリーバ（示されていない）を含んでいる。畳み込み符号化、反復およびインターリーブの技術は、送信のためにデジタルデータを調整する他の技術のように、技術的によく知られている。本発明の教示は、拡散する前にデジタルデータを調整する方法によって制限されない。
【００５６】
その後、データシンボルは直交符号化されるか、あるいは符号発生器502 によって供給された割当てられた直交符号でカバーされ、その符号はここではウォルシュ符号Ｗnである。符号発生器502 は、このために構成された種々の既知の素子を使用して構成されることができる。発生器502 からの符号は、１以上の論理素子504 を使用してシンボルデータと乗算されるか、そうでなければこのシンボルデータと組合せられる。直交符号および符号化されたデータのチップ速度は、当業者がよく理解しているファクタによって決定される。
【００５７】
送信変調器回路はまた、同位相（Ｉ）および直交位相（Ｑ）の各チャンネルに対する２つの異なったＰＮI およびＰＮQ の拡散符号を生成する１以上のＰＮ拡散シーケンスまたは符号発生器506 を含んでいる。この発生器は、適切なインターフェース素子を使用していくつかの送信機のあいだで時分割されることができる。これらのシーケンスの発生回路の例は、米国特許第 5,228,054号明細書（“Power Of Two Length Pseudo-Noise Sequence Generator With Fast Offset Adjustments”issued July 13,1993）に記載されている。代りに、ＰＮ符号は、知られているように、自動索引付けまたはアドレス指定により検索表（ルックアップテーブル）等の形態のＲＯＭまたはＲＡＭ回路のようなメモリ素子に予め記憶されることができる。
【００５８】
ＰＮ拡散符号発生器506 はまた、一般に、ＰＮ拡散符号の出力に予め定められた時間遅延またはオフセットを適切に与える制御プロセッサからビームまたはセル識別信号に対応した少なくとも１つの入力信号に応答する。拡散符号を発生するＰＮ発生器は１個しか示されていないが、多くのまたは少ない発生器を使用するその他多数のＰＮ発生器方式が実施されてもよいことが容易に理解される。
【００５９】
直交符号化されたシンボルデータは、乗算器 508A および 508B または１対の論理素子を使用することによってＰＮI およびＰＮQ 拡散符号と乗算される。同じデータは両乗算器に入力され、個々の符号と組合せられるか、あるいはこれらによって変調される。提案さているいくつかの通信システムにおいて、拡散符号は積層形態で供給または使用される。すなわち、短い期間の高速符号が通常の方法で拡散するための基本的な“内部”符号として使用され、この第１の符号と同期されたこれより期間が長く速度の遅い第２の符号が信号識別および獲得を助けるために“外部”符号として使用される。この多レベル拡散構造は、本出願人の別出願の米国特許出願明細書（“Multi-layered PN Code Spreading In A Multi-User Communications System,”1997年10月10日出願）に記載されている信号獲得プロセスを改善する。図５には、符号発生器512 によって発生され、１対の論理素子または乗算器 510A および 510B を使用して供給される外部シーケンス符号が示されている。しかしながら、１つまたは２つの拡散符号の使用により、相互変調歪みのためにチャンネル間においてブリードまたは漏洩する量の変化の影響が信号に及ぶようには見えない。
【００６０】
その後、結果的に得られるＰＮ拡散および直交符号化された出力信号は、典型的にフィルタ 514A および 514B によってバンドパス濾波または成形され、典型的に、加算素子または加算器524 を使用して単一の通信信号に加算された正弦波曲線の直交対を２相変調することによってＲＦ搬送波に変調される。これは、フィルタ 514A および 514B からそれぞれ濾波された信号の１つをそれぞれ受信する１対の乗算器 520A および 520B への正弦波入力によって示されている。しかしながら、別のタイプの変調が本発明の教示内で使用されることができることが容易に理解されるであろう。局部発振器のような搬送波信号源は、ブロック522 によって表されており、技術的によく知られている回路およびデバイスを使用する。
【００６１】
上記の装置およびプロセスはまた、符号化またはインターリーブされていないデータが一般的に処理されることを除いて、パイロット信号を発生するために使用される。代わりに、一定のレベルの信号が特有の符号、すなわち専用のウォルシュ符号でカバーされ、論理素子 508A ， 508B ， 510A および 510B を使用して拡散される。所望されるならば、パイロット信号を公式化するために反復パターンの形態のデータも使用可能である。必要ではないが、パイロット信号はまた一般的に送信電力制御装置428 およびアナログ送信機438 によって処理されたときにさらに電力を与えられ、ビームのフリンジ上の受信でも十分なエネルギを確保する。ＲＦ搬送波（522 ）が変調されると、所望のとおりに、ゲートウェイによってサービスされている各ビーム、すなわちＣＤＭＡチャンネルに対してパイロット信号が転送される。
Ｖ．非線形プロセス
上記のカバーまたはチャンネル化（Ｗn ）および拡散（ＰＮinner ，ＰＮouter ）が発生した後、結果的に得られた出力が高電力増幅器（ＨＰＡ）に供給される。信号が基地局から意図された信号受信側に直接的に、あるいはゲートウェイから衛星リンクを通って電波によって転送される前に、ＨＰＡを使用してさらに増幅が行われる。さらに、いくつかのユーザ信号は上述のようにビームまたはセルに対する通信信号を形成するように加算され、その後一般に電力増幅器の前に基準化（ｓｃａｌｅ）される。このプロセスは図６の左側に示されている。
【００６２】
図６には、入ってきたデータを適切なウォルシュ関数と結合するために、ここでは乗算器として表されているコーディング素子 6020 乃至 602N-1 を使用するチャンネルＷ0 乃至Ｗn 用のウォルシュコーディング論理装置が示されている。しかしながら、所望に応じて、この結合のために既知の方法で他の既知の論理または処理素子を使用することができる。拡散およびその他の素子は、図を簡明にするために示されていない。符号化されたまたはチャンネル化された信号は、加算装置または信号結合器604 において加算され、たとえばアナログ送信機438 中に認められる高電力増幅器608 に入力される直前に、調節可能な利得または減衰素子606 に供給される。図面によって示されている最後の増幅段は、送信された信号の電力レベルを最後に増加するためにゲートウェイ、基地局において、あるいは衛星においてでも使用されることができる。
【００６３】
その後、電力増幅された信号は、それらが上述のアナログおよびデジタル受信機（316 ，416 ）のような装置を使用して受信され復調される通信システム200 のユーザまたはユーザ端末（224 ，226 ）にチャンネル610 によって送信される。チャンネル610 は、一般に、ゲートウェイ、基地局および衛星によって無線信号の転送のために使用されるエアインターフェースである。しかしながら、本発明はまた、電線および光ケーブルのような別の手段によって伝送されるＣＤＭＡチャンネルに適用可能である。技術的によく知られているように、各ユーザ端末は、信号をデスプレッドするための復調プロセス（示されていない）中に１以上の適切な拡散符号（ＰＮ，ＰＮinner ，ＰＮouter ）を供給する。その後、デスプレッド通信信号は、ここでは所望のウォルシュ符号シーケンス（ＷiL）である直交関数または符号と結合される。このような直交関数または符号は、特定の符号チャンネル上の信号を検索するためにユーザ端末によって使用される。すなわち、ユーザ端末は、既知の論理素子を使用してユーザ端末に導かれている情報またはデータを検索するために予め選択された、あるいは割当てられた符号を使用する。図６において、乗算器612 を使用して、入ってくるデスプレッドデータシンボルと適切なウォルシュ符号が乗算される。結果的に得られたものが累算器、または累算および加算素子614 において累算され、エネルギが予め選択された期間にわたって積分されて、受信された通信信号中の基本となるデータが発生または再捕捉される。すなわち、各チャンネル中のエネルギを決定するために、シンボル振幅の和が累算器において形成される。このプロセスは技術的に知られており、たとえば米国特許第 5,577,025号明細書にさらに詳細に記載されている。結果的に得られた累算された値は、絶対値を与えるために２乗されてもよい。通信信号において使用されているように、信号の−１と１との間における転移時機を決定するために、ハードリミタ616 がしばしば使用される。
【００６４】
上述したように、通信システムにおいて使用される種々の高電力増幅段における相互変調歪みまたは非線形効果が存在することによって、システムまたは増幅器の調節、制御および予測可能な動作に不確かな状態が導入される。適切な調節および制御が行われない場合、これらの非線形素子は、１つのトラフィックまたはユーザチャンネルからシステム性能を劣化させる別のものへのエネルギの望ましくない転送を発生させる。よく知られているＮＰＲのような測定に依存したシステムコンポーネントをテストするための今までの技術は、実際のコンポーネントまたはシステム性能の予測において許容できないほど不正確であることが分かっている。この結果、システムを適切に構成または調節し、相互変調歪みの影響を最小にすることができなくなる。したがって、ＣＤＭＡ通信システムの動作を改善するための新しい技術が開発されている。
ＶＩ．ウォルシュ電力比
Ｏ−ＣＤＭＡ信号環境におけるコンポーネントまたはデバイス性能をさらに正確に予測するために実際的な信号条件下にある非線形システムコンポーネントの性能をテストまたはモニタする新しい技術が使用される。テスト中のデバイスまたはシステムの入力にデータ信号が転送される。これらのデータ信号は、一連または１組の予め選択された直交符号Ｗ0 乃至ＷN-1 を使用することによって適切にチャンネル化され、その後加算される。すなわち、個々の直交符号によってカバーまたはチャンネル化された情報またはデータ信号をそれぞれ表す、一連の別個の“トラフィック”チャンネル信号を含む入力通信信号が発生される。ここでは、ウォルシュ関数が直交符号として使用されるが、これは本発明によって厳密には要求されない。
【００６５】
各チャンネルは、ここではウォルシュ関数Ｗp によって表される１以上の予め選択されたチャンネル“ｐ”以外の、転送されているあるタイプのデータまたは情報を有している。空チャンネルの数は、測定されるべき直交性の程度によって決定される。たとえば、以下さらに説明するように、直交性が通信リンクにわたって全体的に受けている影響に関する付加的な情報を提供し、あるいはチャンネルごとの品質を示すために多数のチャンネルが使用されてもよい。
【００６６】
活動的なまたは“空でない”チャンネルにおいて使用されるデータは、既知のプロセスまたは方式を使用する時にランダムに発生され、あるいは種々の既知のテスト信号またはサンプルから選択されることができる。データを転送している活動的なチャンネルは、厳密には要求されていないが、同じ総入力電力レベルまたは利得を使用し、データ速度および一般内容が適度に類似していることが好ましい。ブランクまたは“無データ”トラフィックチャンネルとは、単にウォルシュ符号または関数に対応したものに対するデータ入力がないだけである。
【００６７】
その後、結合されたあるいは多重化されたＣＤＭＡまたはＳＳ信号が所望に応じて基準化され、テスト中のデバイスを通って転送され、エネルギが各チャンネルにしたがって、または各チャンネルに対して測定される。一般に、どのデータシンボルが送信されたかを決定し、チャンネル中の受信された各シンボルのエネルギの和を形成してチャンネル当りの電力量を決定することによってこれが行われる。理想的には、データが全く送信されなかったときには、１つのチャンネルはゼロエネルギを示すべきである。しかしながら、上述した効果のために、あるエネルギが“空”チャンネルにおいて検出または測定される。
【００６８】
このプロセスの効果は、図７のａおよびｂに示されている。図７のａには、転送される情報を含む一連のトラフィックチャンネル704 と、転送されるデータのない１つのチャンネル706 とを有する各通信信号702 が示されている。データチャンネルは全て同じ電力を有するものとして示されていないが、これは同じ電力であることは要求されておらず、また実際の使用中にシステムに技術を適用できるためである。この後者の状況において、たとえば、異なるユーザに対する種々の電力制御状況のために、あるいは受信された信号に対するチャンネルの影響のために、全てのチャンネルが同じ電力またはエネルギレベルを有してはいない。図７のｂは代表的な受信信号が示し、またこの図は、前に述べた効果のために、若干のエネルギが対応したチャンネル706 中に漏洩している、すなわち、チャンネルにわたって直交性が維持されないことを示している。
【００６９】
図８のａおよびｂには、ＮＰＲテストまたは解析が使用される類似したプロセスが示されている。図８のａには、転送されるべきデータまたは情報のない、したがってエネルギのない小さいチャンネルまたはスペクトル帯域806 を除く、その他ではトラフィック信号が占有する連続した周波数帯域804 中のエネルギまたは情報を持つ信号を有する代表的な通信信号802 が示されている。図８のｂは上述した種々の効果のために、若干のエネルギが対応したスペクトル帯域806 中に漏洩している場合の代表的な受信信号を示している。
【００７０】
本発明を使用して、“空でない”または活動的なチャンネルの全てを横切って、すなわち全てにわたって検出されたエネルギの和と、所望の“空”または非活動的なチャンネルとの間の比が形成される。空チャンネル対残りのチャンネルのエネルギ比を測定することによって、何パーセントのエネルギが空チャンネル中にシフトしているか、および出力の符号純度に対する利得の近似的な影響が判明する。この比から、テストされているデバイスまたはシステムの非線形応答特性によって直交性が劣化している程度の尺度が得られる。すなわち、チャンネルが互いに隔離していない程度の尺度が得られる。
【００７１】
これを行うために、全通信信号中の“空でない”チャンネルの全ての受信されたシンボルについて、エネルギの和が形成される。その後、上述したように、“空でない”チャンネルに対するエネルギの和である、各チャンネルの和を形成することによって、“空”チャンネルにおいて検出されるエネルギを使用して比が形成される。一般に、空チャンネル中のエネルギはいくつかのウォルシュ符号またはデータシンボル期間のような予め選択された期間にわたって累積され、その後平均されて、そのチャンネルに対する所望のエネルギ密度測定値が生成される。それは、この状況においてデータのないシンボルが存在するが、雑音だけが測定されるためである。
【００７２】
本発明の技術は、種々の既知の装置を使用して実現されることができる。たとえば、所望の通信信号を発生するための既知のＯ−ＣＤＭＡ型信号発生回路および送信機または送信セクションと、テスト中の非線形デバイスに信号を結合するための機構と、通信信号を受信し、チャンネルにわたるエネルギの所望の和を形成するための既知の回路素子を使用した受信セクションとを含む特別なテスト装置が構成されることができる。これによって、ＣＤＭＡ環境において非線形デバイスの性能を、すなわち非線形プロセスの影響をテストすることが可能になる。高電力増幅器のようなデバイスは、それが正常に動作する他の回路に対して一般的な方式で接続されることができる。
【００７３】
図９には、本発明のプロセスを実施するために利用できる装置の１実施形態が示されている。図６の場合のように、コーディング素子 6020 乃至 602N-1 を使用するデータチャンネルＷ0乃至ＷN-1に対するウォルシュコーディング論理装置のようなよく知られている装置が示されている。簡明にするために、拡散およびその他の素子は示されていない。図９において、論理またはコーディング素子 6020 乃至 602N-1 への入力としてデータ信号ａ0 乃至ａN-1 が転送される。論理またはコーディング素子 6020 乃至 602N-1 は、ここでは所望に応じて使用される別の既知の論理または処理素子を備えた乗算器として示されている。データ信号は個々のウォルシュ関数ＷiL（ｉは０からＮ−１までである）と結合され、ここでＬはカバーされたまたは符号化されたデータを生成するための符号またはシーケンス長を表している。符号化されたまたはチャンネル化された信号は、加算装置604 において再び加算され、（マルチチャンネル）ＣＤＡＭ通信信号を形成し、テスト中の高電力デバイス、コンポーネントまたはシステム902 へ入力する直前において調節可能な利得または減衰素子606 に供給される。デバイスは、ゲートウェイ、基地局において、あるいは衛星においてさえ使用されることが可能である。
【００７４】
その後、電力増幅された信号は、それらが受信され、デコード（ここには示されていないデスプレッディング）される選択されたインターフェース（エア）またはチャンネルによって一連のデコード段または復調段に転送される。このプロセスに対して、通信信号は、活動的または空でないチャンネル、すなわち活動的なユーザ端末または符号チャンネルの全てによって信号または情報を転送するために使用される各直交関数または符号と結合され、この直交関数または符号は、ここでは所望のウォルシュ符号シーケンス（ＷiL）である。すなわち、既知の論理素子を使用して、通信信号によって転送される情報またはデータを検索するために１組の予め選択された、または予め割当てられた符号が供給される。“Ｌ”は符号シーケンスの長さを表す。活動的または使用されるチャンネルの全てに対する符号がこの動作で使用され、空チャンネルに対する符号もまた、そのチャンネルのエネルギ内容の検索または測定を可能にするためにこの時点で使用されることが好ましい。
【００７５】
図９において、適切なウォルシュ符号は、一連の乗算器 904iL（ 9040L乃至 904N-1L）を使用して、入ってきたデスプレッドデータシンボルと乗算される。結果的に得られた乗算値は、上述のように累算器または累算および加算素子 906i  （ 9060 乃至 906N-1 ）において累算される。示されているように、１／Ｎの正規化係数が適用されることができるが、これはそれ程多くの適用に必要とされない。累算されたエネルギまたは累算器 906i （ 9060 乃至 906N-1 ）において発生された和のそれぞれに対して、素子すなわち２乗手段 908i （ 9080 乃至 908N-1 ）を使用して２乗演算が行われ、各チャンネル中で検出されたエネルギに対するエネルギ値の絶対量を出力する。これは、複素数値を有する信号で動作するか、あるいは負および正の振幅（−１，１）対単純２進値を有する信号で動作したとき、もっとも有効である。その後、結果的に得られた２乗された信号は、平均計算素子または手段あるいは平均装置910 を使用して活動的なまたは“空でない”チャンネルの全てに対する平均エネルギ密度値を形成するために使用される。すなわち、活動的なチャンネルのそれぞれに対して受取られたエネルギの大きさまたは量が合計または加算され、計算に関与するチャンネルの数で除算され、活動的なチャンネルの平均エネルギ値が形成される。その後、空でないチャンネルに対するこの平均値またはエネルギ密度は、比率決定素子912 への１つの入力として転送され、この比率決定素子912 もまた、テストに使用された各空チャンネル、ここでは単一のチャンネル“Ｐ”に対する大きさの値を受取る。しかしながら、付加的なまたは別の空チャンネルを使用することにより、以下に示すように有効な情報が提供されることができる。
【００７６】
所望のＷＰＲ測定比を形成するために、その後空および空でないエネルギ密度値または平均が使用される。この比は、テスト中のデバイスがシステム中の通信信号の直交性またはチャンネル分離に影響を与えている程度の表示として使用されることができる。これによって、システム設計者または試験者は、特定のコンポーネント、デバイスまたはシステムが及ぼす影響、ならびにこのようなデバイスに対して行われた調節の影響をさらに正確に決定することが可能になる。この新しい技術は、とくに、１対多ＣＤＭＡ順方向リンクセルラー、ＰＣＳ、無線ローカルループ（ＷＬＬ）、ＬＥＯ衛星通信システムのような通信適用に対するコンポーネントテストにおいて有効である。
【００７７】
この新しい技術は、ＣＤＭＡ拡散スペクトル通信システムの動作を改善するために少なくとも２つのモードで使用されることができる。１つの方法において、システムを製造するために使用される個々の部分は、それらがＣＤＭＡ通信チャンネル環境においてどのように動作するかを調べるために、図９の装置において、あるいは別の既知の装置を使用してテストされることができる。この方法に基づいて、ＣＤＭＡ通信システムにおいて使用される電力制御技術により、それらの各測定に関与するシステムコンポーネントのある予測可能なまたは既知の特性をさらに正確に考慮できるようにすることによって、改善された結果が達成されることが明らかにされている。
【００７８】
第２の方法において、この技術は、サービスを行う直前または動作中に通信システム自身の一部分をテストするために使用されることができる。たとえば、特定されたメインテナンス期間中または使用されていない期間中に、特定の基地局、ゲートウェイまたは衛星のようなシステムの一部分によって信号を通信システム200 のユーザまたはユーザ端末（224 ，226 ）に転送し、システムあるいはあるシステムコンポーネントの現在の応答特性の測定および特徴付けを行うことができる。予め選択されたＣＤＭＡテスト信号は、多数のチャンネル“アップ”によりゲートウェイの送信セクションに注入または供給され、あるいはデータおよび１以上のチャンネル“ダウン”または空により占有される。その後、専用の受信機は信号を復調し、空チャンネル対全チャンネルのエネルギ密度比であるウォルシュ電力比（ＷＰＲ）の計算または測定に使用するために各チャンネル中の電力を評価する。この受信機は、このようなテストに対してのみ使用されるユーザ端末中に配置され、また通信システムによってサービスされるゲートウェイまたはエリア中に、あるいは固定端末のような１以上のユーザ端末内に配置されることができる。いくつかの構成において、ＷＰＲ測定は、既知の受信機および制御プロセッサを使用して、ゲートウェイから受信された命令に応答して、このタスクにとくに専用ではない１以上のユーザ端末において行われることができる。結果的に得られた情報はゲートウェイに返信され、および、または種々の電力制御のための測定およびレベル調節を含む信号のさらなる処理に使用するために中央通信システム位置に送り返される。
【００７９】
１つの別の実施形態では、基地局またはゲートウェイ中のベースバンド回路によって周期的なインターバルで、データの多数のチャンネルを供給し、あるいは転送のために異なった符号チャンネル（ユーザ端末）を意図されたデータを供給する等により、テスト通信信号（マルチチャンネル）を供給し、あるコンポーネントの動作特性の状態あるいは変化を自動的にチェックする。たとえば、これは、よく知られているようにローディングの変化に応答して、あるいはパワーアップ動作モードのときに、時間にわたって非線形特性のある変化を受けている可能性のある衛星上に配置されたＨＰＡの動作特性の変化を確認するのに有効である。この技術を使用して、システム使用中に測定が使用され、そうしない場合にこれらの状態のいくつかのために生じる有害な効果を抑制することができる。
【００８０】
別の実施形態において、トラフィックチャンネル信号上の一般的なデータとインターリーブされたシステムによって、あるチャンネル上に固定したパターンのデータとブランクを含む、あるいはデータを含まない信号が転送され、周期的なインターバルで、あるいは所望される別の時機にシステムをテストすることができる。これによって、システム応答特性に関する情報を実時間で獲得し、衛星上の電力増幅器またはその他のデバイスの動作を調節し、システム動作および容量を改善することが可能になる。すなわち、命令は、このようなコンポーネントのあるしきい値および動作範囲を調節して制御および出力特性を改善する制御素子に送られることができる。
【００８１】
前述のように、このプロセスのために多数の空または無データ伝送チャンネルが使用される。すなわち、１以上のチャンネルは、マルチチャンネル通信信号の形成時にデータを供給されない。これは、チャンネル間の直交性またはその損失（エネルギ転送）の差を解析するために機能することができる。非線形効果は、１つの符号化されたチャンネルに対して他のチャンネルよりも大きい影響を与える可能性があり、あるいは別のプロセスが発生している可能性がある。したがって、多数の空チャンネルを割当てて、一種のチャンネル“良好度（ｇｏｏｄｎｅｓｓ）”インジケータとして各チャンネルのＷＰＲを比較できることが有効である。
【００８２】
一般的に、単一のチャンネルに対して単一のＷＰＲを使用することによってシステム性能全体に対する影響が示され、一方、多数のチャンネルは相対的なチャンネル性能またはチャンネル間の相対的な影響を示し、したがってある数のチャンネルを使用することは有効である。しかしながら、システムの動作に対するプロセスの全体的な影響を考慮する際に多数のデータチャンネルを使用して行われるのと同様に、このような多数の空チャンネルに対する平均ＷＰＲを形成することも有効である。これは、いくつかの適用では単一のチャンネル上のエネルギを使用するだけでは区別できない付加的な情報を提供することができる。
【００８３】
Ｍ個のチャンネルの限定されたセットがあり（セルラーシステムに対して６４が一般的であり、衛星システムに対して１２８が一般的である）、それらのＭのうちのＮが使用されている場合、当然ながら、Ｎを形成するチャンネルの１つのセットが別のものより有益ないくつかの組合せが存在することが認められている。Ｎの良好な組合せを有することに類似して、測定されたＷＰＲに関しては不良である。Ｍチャンネルを例として挙げると、各チャンネルは一時に１つづつブランクにされ、あるいはデータが空にされ、ＷＰＲが各チャンネルに対して非常に迅速に測定される。結果的に得られたＷＰＲ値のセットは、ＭのうちのＮの可能性に対して使用すべき相対的な“最良”チャンネル、すなわち、直交性の損失を最少にするチャンネルまたは組合せを示すための計量値を生成するために使用されることができる。このプロセスはまた、所望ならば、どの組合せがより良好に動作するかの別の計量値を生成するために、一時に多数の空チャンネルを採用することによって行われることができる。この情報は、所定の動作条件下の、あるいは動作しているデバイス、コンポーネントまたは機器の所定のセットに対する符号またはチャンネルの割当を調整するために使用されることができる。
【００８４】
本発明のいくつかの他の実施形態は、多数の空チャンネル特徴を利用することができる。たとえば、直交性を維持するパターンまたは相対的な程度を測定あるいは観察できるので、１つの空チャンネルがある動作条件の下で別のものより良好な性能または通信リンクを提供することを認識することができる。多数の空チャンネルにわたるＷＰＲの相対的な差は、チャンネルの相対的な性能の尺度として使用されることができる。新しい符号／チャンネルをシステムユーザに割当てる前に、チャンネルまたはチャンネルのセットが通信システムにおいて周期的に走査され、“最良”のチャンネルを捜すことができる。
【００８５】
それ故、次に使用すべきチャンネルを決定するための基準として、多数の空チャンネルにわたるＷＰＲの相対的な差が使用されることができる。すなわち、テストするために故意に、あるいは通信システムの使用中フリーにされている多数のチャンネルの自然発生した一部分として、これらの各空チャンネルがテストされ、次のアクセス要求時に割当てるための、あるいはチャンネルまたは通信リンクを設定するためのチャンネルを選択するために結果的に得られたＷＰＲが使用される。このようにして、ＷＰＲはチャンネルの割当てに非常に有効なツールとなり、システムユーザにとって最良の通信リンクが獲得される。同時にこの割当てにより、チャンネルにわたる電力がさらに効率的に使用されることが可能になる。
【００８６】
また、これによって、通信システム、あるいはゲートウェイおよび基地局は、実際の通信リンクまたは“呼”の長さを含む動作中の変化を観察できるようになる。あるチャンネルが維持されている直交性に関して問題があり、あるいは問題があるように思われる場合、それらの使用は望ましくない。このことは、活動的な呼のあいだに明らかにされる効果にも該当する。すなわち、通信システム、基地局またはゲートウェイ制御装置は、あるチャンネルが高品質のリンクを提供しそうにないこと、およびチャンネルが変化した時を認識することができる。この状況において、使用中に、すなわち呼を終了せずに、そのチャンネルから別のチャンネルに呼または通信リンクがシフトされることができる。これは、種々のソフトウェアハンドオフ技術を使用して、いわば接続を切断することなく、呼を別の符号化されたチャンネルにさらに容易にシフトすることができるという点で、ＣＤＭＡ通信において使用されるタイミングおよびコーディングプロセスの利点である。したがって、呼またはリンクが良好に管理され、改善されたリンク品質が維持されることができる。
【００８７】
ＷＰＲ測定を行うことによって入手できる情報は、直接的な電力制御の一般的な改良に有効であるが、別の利点が実現されることができる。予め選択されたまたは動的に調節可能なしきい値との比較等においてＷＰＲを使用することによって、電力を増加すべきかあるいは減少すべきか、または付加的なチャンネルが割当てられるべきか否かを決定することができる。すなわち、単に特定のビームまたはセルの容量が増加できないようにすることによっても、電力を調節することができる。したがって、状態が改善するまで、チャンネルは新しい通信リンクまたはユーザに割当てられない。
【００８８】
ＷＰＲを改善するための１つの方法は、いくつかのデバイスまたはコンポーネントの飽和レベル以上にならないように電力を減少するか、あるいはユーザをドロップすることによってシステムローディングを軽減することであるが、一般的にもっと重要な解決方法が存在する。すなわち、テストは、信号を転送するために使用されるハードウェアの適切な構成および配置方法を示すことができ、通信システムおよびそのコンポーネントの製造およびテスト中に多数の調節を行なうことができる。しかしながら、システムが動作状態になると、本発明のテストまたは監視方法は、システムが意図されたように機能していないこと、すなわち、システムが全ての予想されたローディング（容量）および定格電力出力に適応できないことを示す。これは単なる電力調節の問題というだけでなく、多くの場合、コンポーネントがガイドライン内で動作しておらず、修理が必要なことを示す。この情報は、作業員を派遣して、ゲートウェイおよび基地局における装置のアフターサービスまたは別の診断サービスを行い、コンポーネントを交換し、あるいはさらに機械的に調節して動作を改善すべき時機を決定するために使用されることができる。本発明は、このような判断をする助けとなる。
【００８９】
上記の好ましい実施形態の説明から、当業者は本発明を形成または使用することができる。当業者はこれらの実施形態に対する種々の修正を容易に認識し、ここにおいて規定されている一般原理は、発明力を要することなくその他の実施形態に適用可能である。したがって、本発明はここに示されている実施形態に制限されるものではなく、ここに開示されている原理および新しい特徴に一致する広い技術的範囲が与えられている。
【図面の簡単な説明】
【図１】    通常の非線形増幅器の出力電力に対する応答特性を示すグラフ。
【図２】    例示的な無線通信システムを示す概略図。
【図３】    ゲートウェイの送信段のブロック図。
【図４】    ユーザ端末のブロック図。
【図５】    図４のユーザ端末において利用できる信号コーディングおよび拡散装置のブロック図。
【図６】    通常の通信信号転送方式のブロック図。
【図７】    ＷＰＲ測定方式の代表的な入力および出力波形図。
【図８】    対応したＮＰＲ測定方式の代表的な入力および出力波形図。
【図９】    ＷＰＲ測定方式を実施するのに有効であると認められた装置のブロック図。
【図１】
0004050460.tif 000002
【図２】
0004050460.tif 000003
【図３】
0004050460.tif 000004
【図４】
0004050460.tif 000005
【図５】
0004050460.tif 000006
【図６】
0004050460.tif 000007
【図７】
0004050460.tif 000008
【図８】
0004050460.tif 000009
【図９】
0004050460.tif 000010